(57)【要約】【課題】施工を容易に行うとともに、コストダウンを図ることを目的としている。【解決手段】ＲＣ造の複数の柱２と、上下に間隔をあけて架設される複数の梁３と、柱２と梁３とで形成される架構フレーム４内に配置される斜めに延在するブレース１８とが備えられている制震構造物１において、梁３は隣り合う柱２の間に配置される鉄骨梁部材１１によって形成され、鉄骨梁部材１１の両端部には接合部材６がそれぞれ接合され、接合部材６は柱２の側面に接合され、鉄骨梁部材１１の両端部上面には第１のガセットプレート９が設けられ、鉄骨梁部材１１の中央部下面には第２のガセットプレート１４が垂設され、第１のガセットプレート９と第２のガセットプレート１４との間にはブレース１８がそれぞれ介装され、鉄骨梁部材１１とブレース１８とはＫ形に配置されている【選択図】      図１
2004353258.tif 000002
【特許請求の範囲】
【請求項１】
間隔をあけて立設された鉄筋コンクリート造の複数の柱と、隣り合う該柱の間に上下に間隔をあけて架設される複数の梁と、隣り合う前記柱と上下で対向する前記梁とで形成される架構フレーム内に配置される斜めに延在するブレースとが備えられている制震構造物において、
前記梁は隣り合う該柱の間に配置される鉄骨梁部材によって形成され、該鉄骨梁部材の両端部には該鉄骨梁部材から上方または下方のうち少なくとも一方に突出する接合部材がそれぞれ接合され、該接合部材は隣り合う前記柱の対向する側面に接合され、前記鉄骨梁部材の両端部には前記接合部材および前記鉄骨梁部材に跨ってそれぞれ接合された第１のガセットプレートが設けられ、前記鉄骨梁部材の中央部の下面または上面のうち少なくとも一方には第２のガセットプレートが突設され、前記第１のガセットプレートと前記第２のガセットプレートとの間には前記ブレースがそれぞれ介装され、前記鉄骨梁部材と該鉄骨梁部材の下方に配置された２本の前記ブレースとはＫ形に配置されていることを特徴とする制震構造物。
【請求項２】
請求項１記載の制震構造物において、
前記第１のガセットプレートは前記鉄骨梁部材の上方に配置され、前記第２のガセットプレートは前記鉄骨梁部材の中央部の下面に垂設され、前記ブレースは、該ブレースの軸心延長線が前記接合部材と前記梁の上方に形成されるスラブとの入隅部を通るように配置されていることを特徴とする制震構造物。
【請求項３】
請求項１または２記載の制震構造物において、
前記接合部材の前記柱側の柱接合面にはシアコネクタが付設され、該シアコネクタは前記柱内に定着されていることを特徴とする制震構造物。
【発明の詳細な説明】
【０００１】
【発明の属する技術分野】
本発明は、柱と梁とで形成された架構フレーム内にブレースが配置されている制震構造物に関する。
【０００２】
【従来の技術】
近年、制震ダンパー等のブレースを鉄筋コンクリート造構造物の柱と梁とで形成された架構内に組み入れることで、鉄筋コンクリート造構造物の地震時応答変位を低減し、変形性能の劣る鉄筋コンクリート造構造物の損傷を軽減させる構造物が提案されている。一般的に、ブレースは鋼構造の架構内に組み入れるものであり、鋼製接合部（ガセットプレート）に接合されるものである。したがって、従来、鉄筋コンクリート構造の架構内にブレースを組み入れる場合には、ブレースを組み入れる架構を鉄骨鉄筋コンクリート構造にする方法と、ブレースを組み入れる架構を形成する梁を鉄骨造または鉄骨鉄筋コンクリート構造にする方法とが提案されている。
【０００３】
前者の従来の方法は、ブレースが組み入れられる架構を形成する柱内に柱鉄骨を設けるとともに、ブレースが組み入れられる架構を形成する梁内に梁鉄骨を設け、柱鉄骨および梁鉄骨にブレースが接合されるガセットプレートを溶接する方法である。この方法によれば、柱鉄骨および梁鉄骨によって鋼構造の架構が形成され、架構の上辺を形成する梁鉄骨の中央下部にガセットプレートが垂設されるとともに、架構の下両隅部にガセットプレートがそれぞれ設けられる。これによって、架構内に斜めに延在するブレースを組み入れることができる（例えば、特許文献１参照。）。
【０００４】
後者の従来の方法は、ブレースが組み入れられる架構を形成する梁内に両端が柱内に十分に挿入された梁鉄骨を設け、梁鉄骨にブレースが接合されるガセットプレートを溶接する方法である。この方法によれば、上方に架設された梁鉄骨の中央部下面にガセットプレートが垂設されるとともに、下方に架設された両端部上面にガセットプレートが立設され、これらのガセットプレートにブレースを接合することができる。
【０００５】
【特許文献１】
特開２０００−２１３２０１号公報  （第３−５頁、第２図）
【０００６】
【発明が解決しようとする課題】
しかしながら、上記した前者の従来の方法では、架構を形成する際に柱鉄骨と梁鉄骨とを組み立てる作業が必要となり、工期延長の要因となるとともに施工コストが嵩むという問題が存在する。また、柱と梁との接合部であるパネルゾーンに柱鉄骨および梁鉄骨が挿入されているため、柱鉄骨は梁主筋に干渉し、梁鉄骨は柱主筋やフープ筋に干渉し、ガセットプレートは直交する梁主筋やフープ筋、スタラップ筋に干渉する。したがって、柱鉄骨、梁鉄骨およびガセットプレートには鉄筋孔をそれぞれ形成する必要があり、鉄筋孔の位置は計画に基づいた正確性が要求されるため、柱および梁の中に鉄骨材を配置する作業は手間がかかるという問題が存在する。
【０００７】
また、上記した後者の従来の方法では、パネルゾーンに梁鉄骨が挿入されているため、梁鉄骨は柱主筋やフープ筋に干渉し、ガセットプレートは直交する梁主筋やフープ筋、スタラップ筋に干渉する。したがって、梁鉄骨およびガセットプレートには鉄筋孔をそれぞれ形成する必要があり、梁の中に鉄骨材を配置する作業は手間がかかるという問題が存在する。また、梁鉄骨は柱内に十分挿入されるため、１本の柱から直交する２方向に梁鉄骨は配置できず、１本の柱に対して２方向の架構にブレースを配置することができないという問題が存在する。また、ガセットプレートがフープ筋に干渉しないようにガセットプレートの位置を内側にずらすと、ブレースの軸心延長線が柱と梁との軸心交点から大きくずれるため、柱には大きな偏心曲げモーメントが生じるという問題がある。
【０００８】
本発明は、上記した従来の問題が考慮されたものであり、鉄骨材を柱と梁との接合部（パネルゾーン）の中に配置せずにブレースを架構フレーム内に組み入れることで、施工を容易に行うとともにコストダウンを図り、さらに１本の柱に対して２方向の架構にブレースを配置することができる制震構造物を提供することを目的としている。また、柱間の梁を鉄骨梁部材により形成することにより、梁に作用する軸力に対抗することができる制震構造物を提供することを目的としている。また、柱に大きな偏心曲げモーメントが生じないようにし、柱の断面寸法を小さくするとともに鉄筋量を減少させ、コストダウンを図ることができる制震構造物を提供することを目的としている。
【０００９】
【課題を解決するための手段】
請求項１記載の発明は、間隔をあけて立設された鉄筋コンクリート造の複数の柱と、隣り合う該柱の間に上下に間隔をあけて架設される複数の梁と、隣り合う前記柱と上下で対向する前記梁とで形成される架構フレーム内に配置される斜めに延在するブレースとが備えられている制震構造物において、前記梁は隣り合う該柱の間に配置される鉄骨梁部材によって形成され、該鉄骨梁部材の両端部には該鉄骨梁部材から上方または下方のうち少なくとも一方に突出する接合部材がそれぞれ接合され、該接合部材は隣り合う前記柱の対向する側面に接合され、前記鉄骨梁部材の両端部には前記接合部材および前記鉄骨梁部材に跨ってそれぞれ接合された第１のガセットプレートが設けられ、前記鉄骨梁部材の中央部の下面または上面のうち少なくとも一方には第２のガセットプレートが突設され、前記第１のガセットプレートと前記第２のガセットプレートとの間には前記ブレースがそれぞれ介装され、前記鉄骨梁部材と該鉄骨梁部材の下方に配置された２本の前記ブレースとはＫ形に配置されていることを特徴としている。
【００１０】
このような特徴により、架構フレーム内にブレースを組み入れる際に、柱と梁との接合部であるパネルゾーン内には鉄骨梁部材は挿入されない。また、鉄骨梁部材とブレースとはＫ形に配置されているため、力の釣り合いにより、柱と接合部材との接合部における水平力は打ち消される。梁は鉄骨梁部材によって形成されているため、鉄骨梁部材とブレースとがＫ形に配置されていることで梁に作用する軸力は鉄骨梁部材によって対抗される。
【００１１】
請求項２記載の発明は、請求項１記載の制震構造物において、前記第１のガセットプレートは前記鉄骨梁部材の上方に配置され、前記第２のガセットプレートは前記鉄骨梁部材の中央部の下面に垂設され、前記ブレースは、該ブレースの軸心延長線が前記接合部材と前記梁の上方に形成されるスラブとの入隅部を通るように配置されていることを特徴としている。
【００１２】
このような特徴により、ブレースの軸心延長線が柱の軸心と梁の軸心との交点近傍を通るように配置され、梁の軸心とブレースの軸心との交点であるゲージ位置は、梁の軸心と柱の軸心との交点の近傍に位置され、この交点とゲージ位置との差である偏心量は小さくなる。
【００１３】
請求項３記載の発明は、請求項１または２記載の制震構造物において、前記接合部材の前記柱側の柱接合面にはシアコネクタが付設され、該シアコネクタは前記柱内に定着されていることを特徴としている。
【００１４】
このような特徴により、シアコネクタによって柱と接合部材との接合部に作用する鉛直方向への剪断力に対抗される。
【００１５】
【発明の実施の形態】
以下、本発明に係る制震構造物の第１、第２の実施の形態について、図面に基づいて説明する。
【００１６】
［第１の実施の形態］
図１はラーメン構造からなる構造物１を表す断面図である。図１に示すように、構造物１のラーメン構造は、鉄筋コンクリート造の複数（図１では２本）の柱２と、隣り合う柱２の間に上下で間隔をあけて架設されている複数（図１では２本）の梁３とによって形成されている。隣り合う２本の柱２と上下で対向する梁３とによって矩形の架構フレーム４が形成されており、梁３の上方には鉄筋コンクリート造のスラブ５が形成されている。
【００１７】
図２は柱２の平面図である。図１、図２に示すように、隣り合う柱２の対向する側面には、Ｈ形鋼からなる接合部材６がそれぞれ鉛直に配置されている。接合部材６は梁３を上下で貫通して配置されており、接合部材６の上下端は高力ボルト接合されるスプライスプレート７を介して上方および下方に配置された接合部材６の端部にそれぞれ継手されている。接合部材６はフランジ面が柱２の側面に平行する向きで配置されており、柱２の側面に接する接合部材６のフランジ面（柱接合面６ａ）には頭付きスタッドからなる複数のシアコネクタ８が水平に突設されている。複数のシアコネクタ８は接合部材６の軸方向に２列で等間隔に配列されており、複数のシアコネクタ８は柱２内にそれぞれ定着されている。
【００１８】
柱接合面６ａの反対側の接合部材６のフランジ面（ガセットプレート接合面６ｂ）には、鉛直方向に延在する第１のガセットプレート９が直角に溶接されている。第１のガセットプレート９は梁３の上方に配置されており、第１のガセットプレート９には、斜めに延在する斜めリブプレート１０が直角にそれぞれ溶接されている。斜めリブプレート１０は、第１のガセットプレート９の両面にそれぞれ設けられており、スラブ５とガセットプレート接合面６ｂとの交点から斜め上方にそれぞれ延在されている。
【００１９】
第１のガセットプレート９の下端には梁３を形成するＨ形鋼からなる鉄骨梁部材１１が配置されており、鉄骨梁部材１１の両端部上面には第１のガセットプレート９の下端が溶接されている。鉄骨梁部材１１は、隣り合う柱２の間に水平に配置されており、接合部材６から張設される対向する２本の端部材１１ａと、対向する端部材１１ａの先端間に配置される中央部材１１ｂとから構成されている。端部材１１ａの先端と中央部材１１ｂの両端とは、高力ボルト接合されるスプライスプレート１２を介してそれぞれ一体に接合されている。鉄骨梁部材１１の端部材１１ａの柱端は柱２と梁３との接合部であるパネルゾーン１３内に若干（パネルゾーン１３内に配筋された図示せぬフープ筋の被り厚さ以内）嵌入されている。また、鉄骨梁部材１１の上面にはスラブ５内に定着する複数のスタッド３０が配設されている。
【００２０】
鉄骨梁部材１１の中央部材１１ｂの中央部には、下端両隅がカットされた矩形の第２のガセットプレート１４が垂設されている。第２のガセットプレート１４両端部には、第２のガセットプレート１４の下端両隅から中央部材１１ｂの軸心中央点に向けて斜めに延在する斜めリブプレート１５が直角にそれぞれ溶接されている。斜めリブプレート１５は、第２のガセットプレート１４の両面にそれぞれ設けられている。また、第２のガセットプレート１４の中央部には、鉛直方向に延在する縦リブプレート１６が直角にそれぞれ溶接されており、縦リブプレート１６は第２のガセットプレート１４の両面にそれぞれ設けられている。また、中央部材１１ｂの中央部のウェブ両面には、第２のガセットプレート１４に設けられた縦リブプレート１６と同軸上に延在する縦リブプレート１７が直角にそれぞれ溶接されている。
【００２１】
一方、架構フレーム４内には制震ダンパーからなる２本のブレース１８がハ字状に斜めに配置されている。ブレース１８は第１のガセットプレート９と第２のガセットプレート１４との間に介装され、ブレース１８と鉄骨梁部材１１とは第２のガセットプレート１４を中心にＫ形に配置されている。また、ブレース１８は、ブレース１８の軸心延長線ａが接合部材６のガセットプレート接合面６ｂとスラブ５の上面との入隅部Ａを通るような向きで配置されている。
【００２２】
図３はブレース１８を表す平面図であり、図４はブレース１８の断面図である。図３、図４に示すように、ブレース１８は、芯材１９と、芯材１９を囲むように設けられた筒状の補剛体２０とを備えた構成となっている。芯材１９は、低降伏点鋼によって形成されており、その降伏応力度は、通常の鉄骨以下のものとなっている。芯材１９は中央部１９ａが両端部１９ｂより幅が狭まった形状のものであり、芯材１９の両端部１９ｂには軸方向に延在するリブプレート２１が直角に溶接されている。
【００２３】
補剛体２０は、二つの溝形鋼２２のフランジ２２ａ同士をカバープレート（鋼板）２３とツヅリボルト２４によってそれぞれ接合し、内部に断面視矩形状の閉鎖空間２５を形成するようにしたものである。これら溝形鋼２２およびツヅリボルト２４は、芯材１９に比較して降伏応力度の大きい鋼材により形成されている。二つの溝形鋼２２の中間部には、軸方向と直交する方向に延在するリブプレート２６が中央およびその両側に間隔をあけてそれぞれ溶接されており、間隔をあけて配置されたリブプレート２６の間には軸方向に延在するリブプレート２７がそれぞれ溶接されている。
【００２４】
閉鎖空間２５には、芯材１９の中央部１９ａが挿通されており、補剛体２０と芯材１９の中央部１９ａとの間には、ゴムパッキン（押圧材）２８が、板状に形成された芯材１９の両面に接するように配置されている。ゴムパッキン２８は、補剛体２０の長さ寸法と略同一の長さ寸法を有するものとされており、芯材１９は、このゴムパッキン２８を介して、補剛体２０側から均等に押圧されている。
【００２５】
図１、図３に示すように、芯材１９の両端部１９ｂは、スプライスプレート２９を介して第１のガセットプレート９または第２のガセットプレート１４にそれぞれ高力ボルト接合されており、芯材１９の両端部１９ｂに設けられたリブプレート２１は、第１のガセットプレート９に設けられた斜め方向に延在する斜めリブプレート１０または第２のガセットプレート１４に設けられた斜め方向に延在する斜めリブプレート１５にスプライスプレート２９を介してそれぞれ高力ボルト接合されている。
【００２６】
次に、上記した構成からなる制震構造物の施工方法について説明する。
【００２７】
図１、図２、に示すように、まず、予め工場で、接合部材６の中間部に鉄骨梁部材１１の端部材１１ａを直角に溶接するとともに、接合部材６の一方のフランジ面（柱接合面６ａ）に複数のシアコネクタ８をそれぞれ溶接する。そして、他方のフランジ面（ガセットプレート接合面６ｂ）と端部材１１ａの上面との入隅に第１のガセットプレート９を溶接し、第１のガセットプレート９には斜めに延在する斜めリブプレート１０を溶接する。また、端部材１１ａの上面には複数のスタッド３０を均等間隔でそれぞれ溶接しておく。
【００２８】
また、鉄骨梁部材１１の中央部材１１ｂの下面に第２のガセットプレート１４を溶接する。第２のガセットプレート１４の両端部の両面に斜めに延在する斜めリブプレート１５をそれぞれ溶接するとともに、第２のガセットプレート１４の中央部の両面に鉛直方向に延在する縦リブプレート１６をそれぞれ溶接する。また、中央部材１１ｂの中央部の両面には第２のガセットプレート１４に溶接された縦リブプレート１６と同軸上に延在する縦リブプレート１７をそれぞれ溶接し、中央部材１１ｂの上面には複数のスタッド３０を均等間隔でそれぞれ溶接する。
【００２９】
次に、柱２の鉄筋を配筋し、柱２を形成するための図示せぬ柱形枠を建て込む。このとき、図示せぬ柱形枠と一緒に、接合部材６を柱２の側方に設置するとともに、接合部材６の下端を下方に配置された接合部材６の上端にスプライスプレート７を介してウェブのみ接合した上階の接合部材６を自立させる。接合部材６は、シアコネクタ８が図示せぬ柱形枠内に入るとともに、柱接合面６ａが柱２の側面と接するように配置する。そして、図示せぬ柱形枠内にコンクリートを打設し、接合部材６と一体に柱２を形成する。
【００３０】
次に、対向する鉄骨梁部材１１の端部材１１ａの間に鉄骨梁部材１１の中央部材１１ｂを介在させ、中央部材１１ｂの両端を端部材１１ａの先端にそれぞれ接合する。突き合わされた端部材１１ａの先端と中央部材１１ｂの両端とは、上側のフランジと下側のフランジとウェブとを２枚のスプライスプレート１２で両面から挟み込み、スプライスプレート１２と端部材１１ａの先端および中央部材１１ｂの両端とを一体に高力ボルトでそれぞれ２面摩擦接合する。
【００３１】
次に、図１、図３に示すように、第１のガセットプレート９と第２のガセットプレート１４との間にブレース１８をそれぞれ配置し、鉄骨梁部材１１とブレース１８とを第２のガセットプレート１４を中心にＫ形に配置する。第１のガセットプレート９側に向けられたブレース１８の一端部は、スプライスプレート２９を介して第１のガセットプレート９に接合する。突き合わされた芯材１９の端部１９ｂと第１のガセットプレート９とを２枚のスプライスプレート２９で挟み込み、スプライスプレート２９と芯材１９の端部１９ｂおよび第１のガセットプレート９とを一体に高力ボルトで２面摩擦接合する。また、突き合わされた芯材１９の端部１９ｂに設けられたリブプレート２１と第１のガセットプレート９に設けられた斜めリブプレート１０とを２枚のスプライスプレート２９で挟み込み、スプライスプレート２９とリブプレート２１および斜めリブプレート１０とを一体に高力ボルトで２面摩擦接合する。
【００３２】
また、第２のガセットプレート１４側に向けられたブレース１８の他端部は、スプライスプレート２９を介して第２のガセットプレート１８に接合する。突き合わされた芯材１９の端部１９ｂと第２のガセットプレート１４とを２枚のスプライスプレート２９で挟み込み、スプライスプレート２９と芯材１９の端部１９ｂおよび第２のガセットプレート１４とを一体に高力ボルトで２面摩擦接合する。また、突き合わされた芯材１９の端部１９ｂに設けられたリブプレート２１と第２のガセットプレート１４に設けられた斜めリブプレート１５とを２枚のスプライスプレート２９で挟み込み、スプライスプレート２９とリブプレート２１および斜めリブプレート１５とを一体に高力ボルトで２面摩擦接合する。
【００３３】
上記の構成からなる制震構造物によれば、架構フレーム４内にブレース１８を組み入れる際に、柱２と梁３とのパネルゾーン１３の内部にまで鉄骨梁部材１１は挿入されない。これによって、鉄骨梁部材１１に孔開けする作業等が無くなるとともに鉄骨梁部材１１が鉄筋に干渉して柱配筋の邪魔になることが避けられるため、施工を容易に行うことができ、また、接合部材６や第１、第２のガセットプレート９、１４は孔開けする作業等の複雑な加工や溶接などは無いためそれぞれ安価に製作することができる。また、パネルゾーン１３の内部に鉄骨梁部材１１を挿入せずにブレース１８が配置されるため、一つの柱２に対して２方向のブレース１８をそれぞれ配置することができる。
【００３４】
また、鉄骨梁部材１１とブレース１８とはＫ形に配置されているため、力の釣り合いにより、柱２と接合部材６との接合部における水平力は打ち消される。これによって、接合部材６に水平力に対抗するアンカーなどを付設する必要はなく、接合部材６は鉛直方向のずれ剪断力に対抗することで柱２の側面に一体に接合することができる。
【００３５】
また、梁３は鉄骨梁部材１１によって形成されているため、接合部材６や第１、第２のガセットプレート９、１４に干渉する梁主筋やスタラップ等はない。これによって、接合部材６や第１、第２のガセットプレート９、１４に孔あけする手間を省略することができる。また、梁３は鉄骨梁部材１１によって形成されているため、鉄骨梁部材１１とブレース１８とがＫ形に配置されていることで梁３に作用する軸力は鉄骨梁部材１１によって対抗される。これによって、梁３の耐力を確保することができる。
【００３６】
また、ブレース１８は、ブレース１８の軸心延長線ａが接合部材６のガセットプレート接合面６ｂとスラブ５の上面との入隅部Ａを通るように配置されているため、梁３の軸心ｃとブレース１８の軸心延長線ａとの交点であるゲージ位置Ｂは、梁３の軸心ｃと柱２の軸心ｂとの交点Ｃの近傍に位置され、この交点Ｃとゲージ位置Ｂとの差である偏心量は小さくなる。柱２に作用する偏心曲げモーメントは、偏心量に柱２とブレース１８とが接合される部分に作用する鉛直方向のずれ剪断力を乗じた値である。したがって、ブレース１８が接合される第１のガセットプレート９の突出長さを最小限に形成した際の偏心量が小さくなり、柱２に作用する偏心曲げモーメントを柱２の耐力に比べて十分に小さくすることができ、偏心曲げモーメントを無視しても問題がない構造にすることができる。
【００３７】
また、接合部材６の柱接合面６ａにはシアコネクタ８が付設され、シアコネクタ８は柱２内に定着されているため、柱２と接合部材６との接合部に作用する鉛直方向のずれ剪断力は、シアコネクタ８によって対抗される。これによって、接合部材６は柱２に強固に接合することができる。
【００３８】
また、鉄骨梁部材１１とブレース１８とはＫ形に配置されているため、ブレース１８が配置されていない部分を開口や収納などに有効活用することができる。また、各架構フレーム内のブレース１８は同一位置に配置されるため、各階の開口や収納等の位置を同一にすることができ、各階とも同じプランにすることができる。
【００３９】
また、ブレース１８は制震ダンパーからなっているため、芯材１９が降伏した後に所定の耐力に達するとブレース１８の負担力が増加しなくなり、負担力が頭打ちとなる。これによって、接合部材６や第１のガセットプレート９や第２のガセットプレート１４などは、頭打ちされたときの荷重に耐え得るもので足り、経済的な部材を使用することでコストの軽減を図ることができる。
【００４０】
また、第１のガセットプレート９および第２のガセットプレート１４には斜めリブプレート１０、１５がそれぞれ直角に設けられ、ブレース１８の芯材１９の両端部１９ｂにはリブプレート２１がそれぞれ直角に設けられているため、第１のガセットプレート９、第２のガセットプレート１４および芯材１９の面外座屈はそれぞれ防止されるとともに、第１のガセットプレート９とブレース１８との接合および第２のガセットプレート１４とブレース１８との接合は十字接合となる。これによって、斜めリブプレート１０、１５およびリブプレート２１は接合機能および補剛機能の両方の機能を果たし、それぞれ別個に設ける場合に比べ部材の数量を低減することができる。
【００４１】
また、接合部材６には予め工場でシアコネクタ８、鉄骨梁部材１１の端部材１１ａ、第１のガセットプレート９及び斜めリブプレート１０がそれぞれ溶接され、第２のガセットプレート１４には予め斜めリブプレート１５と縦リブプレート１６がそれぞれ溶接されるため、現場での溶接等の加工作業がなくなり、特別な技能を有する者（溶接作業員等）でなくても通常の作業員で施工することができるとともに、工期の短縮および施工精度の向上を図ることができる。また、接合部材６および第２のガセットプレート１４はそれぞれ現場に搬入されて現場合わせで取り付けられるため、施工誤差に容易に対応することができる。
【００４２】
また、ブレース１８は第１のガセットプレート９および第２のガセットプレート１４に高力ボルト接合されているため、ブレース１８の長さ誤差に対して容易に対応することができる。また、各部材（接合部材６、第１のガセットプレート９および第２のガセットプレート１４等）は、特殊な収まりなどはなく、シンプルな構成からそれぞれなっているため、施工管理も容易にできる。さらに、各部材の重量は比較的小さいため、運搬や揚重は容易に行うことができる。
【００４３】
［第２の実施の形態］
図５はラーメン構造からなる鉄筋コンクリート造の構造物１００を表す断面図である。図５に示すように、構造物１００のラーメン構造は、鉄筋コンクリート造の複数の柱１０１と、上下で間隔をあけて架設されている複数（図１では２本）の梁１０２とによって形成されている。隣り合う２本の柱１０１と上下で対向する梁１０２とによって矩形の架構フレーム１０３が形成されており、梁１０２の上方には鉄筋コンクリート造のスラブ１０４が形成されている。
【００４４】
図６は柱１０１の平面図である。図５、図６に示すように、隣り合う柱１０１の対向する側面には、パネルゾーン１０５の側部を上下に貫通する矩形鋼板からなる埋込プレート１０６がそれぞれ配置されている。埋込プレート１０６は、柱１０１内に埋め込まれており、柱１０１の側面に平行に配置されている。柱１０１側の埋込プレート１０６の面（柱接合面１０６ａ）は柱１０１内に位置され、柱接合面１０６ａの反対側の埋込プレート１０６の面（鉄骨添柱接合面１０６ｂ）は柱１０１の側面と面一に位置されている。
【００４５】
図７は埋込プレート１０６の斜視図である。図５、図６、図７に示すように、埋込プレート１０６の柱接合面１０６ａには、頭付きスタッドからなる複数のシアコネクタ１０７が水平に突設されている。複数のシアコネクタ１０７は鉛直方向に３列で等間隔に配列されており、複数のシアコネクタ１０７は柱１０１内にそれぞれ定着されている。
【００４６】
埋込プレート１０６の鉄骨添柱接合面１０６ｂには、鉛直方向に延在する矩形鋼板からなる第１のシヤプレート１０８ａおよび第２のシヤプレート１０８ｂが直角にそれぞれ溶接されている。第１のシヤプレート１０８ａはパネルゾーン１０５の側方に配置されており、第２のシヤプレート１０８ｂは間隔をあけて第１のシヤプレート１０８ａの上方に配置されている。
【００４７】
埋込プレート１０６の側方には、鉛直方向に延在するＴ形鋼からなる鉄骨添柱１０９が配置されている。鉄骨添柱１０９のフランジ１０９ａは埋込プレート１０６に平行に配置されており、鉄骨添柱１０９のウェブ１０９ｂは第１のシヤプレート１０８ａおよび第２のシヤプレート１０８ｂにそれぞれ重なり合わされている。鉄骨添柱１０９のウェブと第１のシヤプレート１０８ａおよび第２のシヤプレート１０８ｂとは、高力ボルトで１面摩擦接合されている。
【００４８】
隣り合う鉄骨添柱１０９の間には、梁１０２を形成するＨ形鋼からなる鉄骨梁部材１１０が介装されている。鉄骨梁部材１１０の両端は鉄骨添柱１０９の下端にそれぞれ接合されており、鉄骨梁部材１１０の両端は埋込プレート１０６のガセットプレート接合面１０６ｂに当接されている。鉄骨梁部材１１０の両端の上フランジ１１０ａは第１のシヤプレート１０８ａと第２のシヤプレート１０８ｂとの間に配置され、鉄骨梁部材１１０の両端の下フランジ１１０ｂは第１のシヤプレート１０８ａの下方に配置されている。
【００４９】
鉄骨添柱１０９と鉄骨梁部材１１０との入隅には、鉛直方向に延在してスラブ１０４の上方に突出する矩形鋼板からなる第１のガセットプレート１１１が配置されている。第１のガセットプレート１１１の下端部は鉄骨梁部材１１０の上フランジ１１０ａに溶接されており、側部は鉄骨添柱１０９のフランジ１０９ａの外面（ガセットプレート接合面１０９ｃ）に溶接されている。第１のガセットプレート１１１の両面には、スラブ１０４と鉄骨添柱１０９との入隅から斜め上方に延在する斜めリブプレート１１２がそれぞれ溶接されている。
【００５０】
鉄骨梁部材１１０の中央部には第２のガセットプレート１１３が垂設されており、第１のガセットプレート１１１と第２のガセットプレート１１３との間にはブレース１１４が介装されている。また、上記した埋込プレート１０６と第１、第２のシヤプレート１０８ａ、１０８ｂと鉄骨添柱１０９とによって、柱１０１に接合されるとともに第１のガセットプレート１１１が接合される接合部材１１５は形成されている。
【００５１】
上記した構成からなる制震構造物によれば、柱１０１の側面に配置される埋込プレート１０６と第１のガセットプレート１１１や鉄骨梁部材１１０が接合された鉄骨添柱１０９とは高力ボルト接合されているため、図示せぬ柱形枠の建て込み時には、比較的軽量な埋込プレート１０６を柱１０１の側面に配置すればよく、作業は容易となる。
【００５２】
また、埋込プレート１０６は柱１０１内に埋め込まれているため、埋込プレート１０６に接する柱１０１のコンクリートの水平方向圧縮力は、ブレース１１４の反力によって埋込プレート１０６位置で柱１０１に作用する曲げモーメントに対抗される。また、埋込プレート１０６と柱１０１とは接しているため、両者の接している面には圧縮力による摩擦抵抗が生じ、埋込プレート１０６と柱１０１との間に生じる鉛直方向の剪断力に対抗される。これによって、シアコネクタ１０７の本数を低減することができ、コストダウンを図ることができる。
【００５３】
以上、本発明に係る制震構造物の実施の形態について説明したが、本発明は上記した実施の形態に限定されるものではなく、その趣旨を逸脱しない範囲で適宜変更可能である。例えば、上記した第１、第２の実施の形態では、第１のガセットプレート９、１１１は鉄骨梁部材１１、１１４の上方に配置され、第２のガセットプレート１４、１１３は鉄骨梁部材１１の中央部の下面に垂設されており、２本のブレース１８、１１４はハ字状に配置されているが、本発明は、第１のガセットプレートを鉄骨梁部材の下方に配置し、第２のガセットプレートを鉄骨梁部材の中央部の上面に突設させ、２本のブレースをＶ字状に配置してもよい。
【００５４】
また、上記した実施の形態では、ブレース１８、１１４に鋼材系の制震ダンパーを使用しているが、本発明は、粘性系ダンパーを使用してもよい。粘性系ダンパーは粘性弾性体やオイルダンパーの粘性抵抗をダンパーとして利用したものである。また、上記した実施の形態では、シアコネクタ８、１０７には頭付きスタッドを使用しているが、本発明は、Ｔヘッドバー、平鋼、山形鋼、鉄筋材およびプレートナットを使用してもよい。
【００５５】
また、上記した第１の実施の形態では、接合部材６の下端は下方に位置する接合部材６の上端と高力ボルト接合し、上端は上方に位置する接合部材６の下端と高力ボルト接合しているが、本発明は、接合部材６を仮設するときの自立手段を別途講じることを条件に上下の接合部材６の接合を省略することができる。この場合、接合部材６と柱２との接合部の剪断力に対抗することができることを条件に、接合部材６の長さを短縮することができる。これによって、接合部材６の重量を軽減することができ、接合部材６の材料費を低減することができるとともに、施工を容易にすることができる。
【００５６】
また、上記した第１の実施の形態では、架構フレーム４に第１のガセットプレート９および第２のガセットプレート１４を設置した後に、第１のガセットプレート９と第２のガセットプレート１４との間にブレース１８を介装させているが、本発明は第１のガセットプレート９と第２のガセットプレート１４とブレース１８とを予め接合し、一体化したものを架構フレーム４に設置してもよい。さらに、柱２内に鋼材などが配置されないため、柱鉄筋を先組みして鉄筋籠を形成し、この鉄筋籠を現場に落とし込んでもよい。これによって、工期の短縮を図ることができる。
【００５７】
また、上記した第１、第２の実施の形態では、柱２、１０１はそれぞれ現場打設の躯体であるが、本発明は、柱２、１０１に接合部材６あるいは埋込プレート１０６を予め一体化したＰＣ部材の柱としてもよい。また、上記した第２の実施の形態では、第１、第２のシヤプレート１０８ａ、１０８ｂと鉄骨添柱１０９のウェブ１０９ｂとは重なり合わせて１面摩擦接合しているが、本発明は、第１、第２のシヤプレート１０８ａ、１０８ｂと鉄骨添柱１０９のウェブ１０９ｂとを突き合わせてスプライスプレートを介して２面摩擦接合してよい。
【００５８】
【発明の効果】
以上説明した請求項１記載の制震構造物によれば、架構フレーム内にブレースを組み入れる際に、柱と梁との接合部の内部にまで鉄骨梁部材が挿入されないため、鉄骨梁部材に孔開けする作業等が無くなるとともに鉄骨梁部材が鉄筋に干渉して柱配筋の邪魔になることが避けられ、施工を容易に行うことができるとともに、接合部材や第１、第２のガセットプレートは孔開けする作業等の複雑な加工や溶接などは無くそれぞれ安価に製作することができる。また、柱と梁との接合部の内部に鉄骨梁部材を挿入せずにブレースが配置されるため、一つの柱に対して２方向のブレースをそれぞれ配置することができる。
【００５９】
また、鉄骨梁部材とブレースとはＫ形に配置されているため、力の釣り合いにより、柱と接合部材との接合部における水平力は打ち消され、接合部材に水平力に対抗するアンカーなどを付設する必要はなく、接合部材は鉛直方向のずれ剪断力に対抗することで柱の側面に一体に接合することができる。また、梁は鉄骨梁部材によって形成されているため、接合部材や第１、第２のガセットプレートに干渉する梁主筋やスタラップ等はなく、接合部材や第１、第２のガセットプレートに孔あけする手間を省略することができる。また、梁は鉄骨梁部材によって形成されているため、鉄骨梁部材とブレースとがＫ形に配置されていることで梁に作用する軸力は鉄骨梁部材によって対抗され、梁の耐力を確保することができる。
【００６０】
また、請求項２記載の制震構造物によれば、ブレースは、ブレースの軸心延長線が接合部材のガセットプレート接合面とスラブの上面との入隅部を通るように配置されているため、梁の軸心とブレースの軸心延長線との交点であるゲージ位置は、梁の軸心と柱の軸心との交点の近傍に位置され、この交点とゲージ位置との差である偏心量は小さくなり、ブレースが接合される第１のガセットプレートの突出長さを最小限に形成するとともに、柱に作用する偏心曲げモーメントを柱の耐力に比べて十分に小さくすることができ、偏心曲げモーメントを無視しても問題がない構造にすることができる。
【００６１】
また、請求項３記載の制震構造物によれば、接合部材の柱接合面にはシアコネクタが付設され、シアコネクタは柱内に定着されているため、柱と接合部材との接合部に作用する鉛直方向のずれ剪断力は、シアコネクタによって対抗され、接合部材を柱に強固に接合することができる。
【図面の簡単な説明】
【図１】本発明に係る制震構造物の第１の実施の形態を説明するための断面図である。
【図２】本発明に係る制震構造物の第１の実施の形態を説明するための部分平面図である。
【図３】本発明に係る制震構造物の第１の実施の形態を説明するためのブレースの平面図である。
【図４】本発明に係る制震構造物の第１の実施の形態を説明するためのブレースの断面図である。
【図５】本発明に係る制震構造物の第２の実施の形態を説明するための断面図である。
【図６】本発明に係る制震構造物の第２の実施の形態を説明するための部分平面図である。
【図７】本発明に係る制震構造物の第２の実施の形態を説明するための接合部材の斜視図である。
【符号の説明】
１、１００  構造物（制震構造物）
２、１０１  柱
３、１０２  梁
４、１０３  架構フレーム
５、１０４  スラブ
６、１１５  接合部材
６ａ、１０６ａ  柱接合面
８、１０７  シアコネクタ
９、１１１  第１のガセットプレート
１１、１１０  鉄骨梁部材
１４、１１３  第２のガセットプレート
１８、１１４  ブレース
ａ  軸心延長線
Ａ  入隅部
【図１】
2004353258.tif 000003
【図２】
2004353258.tif 000004
【図３】
2004353258.tif 000005
【図４】
2004353258.tif 000006
【図５】
2004353258.tif 000007
【図６】
2004353258.tif 000008
【図７】
2004353258.tif 000009